(57)【要約】【課題】  本発明は、モータの回転を減速ギアを介してローラに伝達中に、減速ギアが傾くのを防止して、ローラを定速回転させることが可能なプリンタのギア支持構造を提供すること。【解決手段】  本発明のプリンタのギア支持構造１は、回転可能なローラ１２と、このローラ１２を回転可能に支持するフレーム４と、ローラ１２を回転駆動可能なモータ２と、このモータ２を取り付けた状態でフレーム４の側板４ａに支持したモータプレート３と、モータ２の回転軸２ａに軸止された駆動ギア７とを備え、モータ２とローラ１２との間には、モータ２の回転を減速してローラ１２に伝達可能な第１、第２減速ギア８、９が配設され、この第１、第２減速ギア８、９は、一端部が側板４ａ側に支持されると共に、他端部がモータプレート３の一部に支持されて回転自在になっている。【選択図】        図１
2006021346.tif 000002
【特許請求の範囲】
【請求項１】
回転可能なローラと、このローラを回転可能に支持するフレームと、前記ローラを回転駆動可能なモータと、このモータを取り付けた状態で前記フレームの側板に支持したモータプレートと、前記モータの回転軸に軸止された駆動ギアとを備え、前記モータと前記ローラとの間には、前記モータの回転速度を減速して前記ローラに伝達可能な減速ギアが配設され、この減速ギアは、一端部が前記側板側に支持されると共に、他端部が前記モータプレートの一部に支持されて回転自在になっていることを特徴とするプリンタのギア支持構造。
【請求項２】
前記フレームの側板に支持した前記モータプレートは、前記モータを取り付け可能な支持壁を形成すると共に、この支持壁と前記フレームの側板との間に所定寸法の隙間を有し、この隙間に前記減速ギアを配設して、前記減速ギアの前記他端部を前記支持壁に支持したことを特徴とする請求項１記載のプリンタのギア支持構造。
【請求項３】
前記減速ギアは、回転中心にギア軸が嵌合支持され、前記ギア軸の他端部は、前記モータプレートの前記支持壁にガタ嵌合で支持されており、前記支持壁の外側には、前記ガタ嵌合で支持される前記ギア軸の前記他端部側をガタなく嵌合支持可能な支持部材が配設されていることを特徴とする請求項２記載のプリンタのギア支持構造。
【請求項４】
前記ローラには、前記減速ギアが噛み合い可能なローラギアが軸止され、前記支持部材は、前記モータプレートの前記支持壁に取り付ける取付位置が調整可能になっており、前記支持部材の前記取付位置を調整することにより、前記減速ギアと前記ローラギアとの噛み合わせ深さが調整可能になっていることを特徴とする請求項３記載のプリンタのギア支持構造。
【発明の詳細な説明】
【技術分野】
【０００１】
本発明はプリンタのギア支持構造に係わり、特にモータの回転速度を所定速度に減速させてローラに伝達可能な減速ギアを有するプリンタのギア支持構造に関する。
【背景技術】
【０００２】
従来のプリンタのギア支持構造５０を図４に基づいて説明すると、モータ５１が配設され、このモータ５１の回転軸５１ａには、駆動ギア５１ｂが軸止されている。前記モータ５１は、箱部材５２の外側面にネジ５３によって取り付けられている。
また、箱部材５２の内部には、ギア軸５４に軸支された減速ギア５５を支持する取付部材５６が配設されている。
【０００３】
前記減速ギア５５は、大歯車５５ａと小歯車５５ｂとが樹脂材料等で一体形成されて、取付部材５６に片持ち支持されたギア軸５４に回転自在に支持されている。そして、モータ５１の駆動ギア５１ｂが、減速ギア５５の大歯車５５ａに噛み合うようになっている。
また、取付部材５６には、箱部材５２がモータ５１を支持するネジ５３で支持されると共に、別なネジ５８でプリンタ側のフレーム５７に支持されている。
【０００４】
また、フレーム５７の側板５７ａには、ローラ５９が支持され、このローラ５９の先端部には、ローラギア５９ａが軸止されており、このローラギア５９ａに減速ギア５５の小歯車５５ｂが噛み合うようになっている。
そして、モータ５１の回転が駆動ギア５１ｂから減速ギア５５を介してローラギア５９ａに伝達されて、ローラ５９が回転可能になっている。
【０００５】
このような構成のプリンタのギア支持構造５０の動作を説明すると、まず、モータ５１を回転駆動すると、この回転が、駆動ギア５１ｂから片持ち支持状のギア軸５４に支持された減速ギア５５に伝達される。そして、減速ギア５５が回転すると、小歯車５５ｂに噛み合うローラギア５９ａが回転して、ローラ５９が所定速度に減速されて回転するようになっている。
前記ローラ５９の回転によって、記録用紙（図示せず）が印刷手段（図示せず）に搬送されて、記録用紙に所望の画像等を印刷可能になっている。
【特許文献１】特開平７−２３７３２４号公報
【発明の開示】
【発明が解決しようとする課題】
【０００６】
しかし、従来のプリンタのギア支持構造５０は、減速ギア５５が取付部材５６に片持ち支持されたギア軸５４に支持されていたので、モータ５１を回転させてローラ５９を回転駆動する時に、ギア軸５４が傾いて、減速ギア５５の小歯車５５ｂとローラギア５９ａとの噛み合わせ深さが浅くなる方向にバラツキ、ローラ５９の回転速度にバラツキが発生するおそれがあった。
【０００７】
前記ローラ５９の回転速度にバラツキが発生すると、記録用紙の搬送速度がバラツキ、記録用紙に印刷する画像品質が低下することがある。
本発明は前述したような課題を解決して、減速ギアを介してモータの回転をローラに伝達中に、減速ギアが傾くのを防止して、ローラを定速回転させることが可能なプリンタのギア支持構造を提供することを目的とする。
【課題を解決するための手段】
【０００８】
前記課題を解決するための第１の手段として本発明のプリンタのギア支持構造は、回転可能なローラと、このローラを回転可能に支持するフレームと、前記ローラを回転駆動可能なモータと、このモータを取り付けた状態で前記フレームの側板に支持したモータプレートと、前記モータの回転軸に軸止された駆動ギアとを備え、前記モータと前記ローラとの間には、前記モータの回転速度を減速して前記ローラに伝達可能な減速ギアが配設され、この減速ギアは、一端部が前記側板側に支持されると共に、他端部が前記モータプレートの一部に支持されて回転自在になっていることを特徴とする。
【０００９】
また、前記課題を解決するための第２の手段として、前記フレームの側板に支持した前記モータプレートは、前記モータを取り付け可能な支持壁を形成すると共に、この支持壁と前記フレームの側板との間に所定寸法の隙間を有し、この隙間に前記減速ギアを配設して、前記減速ギアの前記他端部を前記支持壁に支持したことを特徴とする。
【００１０】
また、前記課題を解決するための第３の手段として、前記減速ギアは、回転中心にギア軸が嵌合支持され、前記ギア軸の他端部は、前記モータプレートの前記支持壁にガタ嵌合で支持されており、前記支持壁の外側には、前記ガタ嵌合で支持される前記ギア軸の前記他端部側をガタなく嵌合支持可能な支持部材が配設されていることを特徴とする。
【００１１】
また、前記課題を解決するための第４の手段として、前記ローラには、前記減速ギアが噛み合い可能なローラギアが軸止され、前記支持部材は、前記モータプレートの前記支持壁に取り付ける取付位置が調整可能になっており、前記支持部材の前記取付位置を調整することにより、前記減速ギアと前記ローラギアとの噛み合わせ深さが調整可能になっていることを特徴とする。
【発明の効果】
【００１２】
本発明のプリンタのギア支持構造に係わるモータとローラとの間には、モータの回転速度を減速してローラに伝達可能な減速ギアが配設され、この減速ギアは、一端部が側板側に支持されると共に、他端部がモータプレートの一部に支持されて回転自在になっているので、既存のモータプレートを変更するだけで、減速ギアを両持ち支持することができ、部品点数が増やすことなく低コストのプリンタのギア支持構造を提供できる。
更に、両持ち支持された減速ギアは、回転中における傾きを防止できるので、減速ギアとローラギアとの噛み合わせ深さを一定にでき、ローラを定速回転させることができる。そのために、ローラが紙送りローラだと、記録用紙を高精度に搬送して高品質の画像印刷を行うことができる。
【００１３】
また、フレームの側板に支持したモータプレートは、モータを取り付け可能な支持壁を形成すると共に、この支持壁とフレームの側板との間に所定寸法の隙間を有し、この隙間に減速ギアを配設して、減速ギアの他端部を支持壁に支持したので、減速ギアの傾きを確実に防止でき、ローラを定速回転させることができる。
【００１４】
また、減速ギアは、回転中心にギア軸が嵌合支持され、ギア軸の他端部は、モータプレートの支持壁にガタ嵌合で支持されており、支持壁の外側には、ガタ嵌合で支持される他端部側をガタなく嵌合支持可能な支持部材が配設されているので、減速ギアをガタなく支持することができる。
【００１５】
また、ローラには、減速ギアが噛み合い可能なローラギアが軸止され、支持部材は、モータプレートの支持壁に取り付ける取付位置が調整可能になっており、支持部材の取付位置を調整することにより、減速ギアとローラギアとの噛み合わせ深さが調整可能になっているので、支持部材の取付位置を調整して、互いに噛み合う歯車同士が干渉しない噛み合わせとすることができる。
そのために、モータの回転を無理なく伝達してローラをスムーズに回転させることができる。
【発明を実施するための最良の形態】
【００１６】
以下、本発明のプリンタのギア支持構造の実施の形態を、図１〜図３に基づいて説明する。図１は本発明の実施の形態を説明する要部断面図であり、図２は図１の要部上面図であり、図３は図１の要部拡大図である。
まず、本発明のプリンタのギア支持構造１は、図１に示すように、モータ２が金属板等からなるモータプレート３に、ネジ（図示せず）等で取り付けられている。
【００１７】
また、モータプレート３は、箱状に折り曲げ、または絞り加工されて、外周端部３ａが外向きに形成されていると共に、外周端部３ａから所定高さで突出する平坦状の第１支持壁３ｂと、この第１支持壁３ｂの図示右側に、第１支持壁３ｂより高く突出する第２支持壁３ｃとで、外観が略階段状に形成されている。
前記モータプレート３は、外周端部３ａが、プリンタ側のフレーム４の一方の側板４ａにネジ５等で取り付けられている。
また、フレーム４の一方の側板４ａの外側には、図１に示すように、樹脂材料からなる所定厚さで板状のサブフレーム６が取り付けられており、このサブフレーム６に、後述する第１、第２減速ギア８、９の一端部側、およびローラ１２が支持されている。
【００１８】
また、モータ２の回転軸２ａには、ピニオンギアからなる駆動ギア７が圧入等で軸止されており、この駆動ギア７に、樹脂材料等からなる第１減速ギア８が噛み合っている。前記第１減速ギア８は、ピッチ円の直径寸法が駆動ギア７より大きな大歯車８ａと、この大歯車８ａよりピッチ円の直径寸法が小さい小歯車８ｂとが一体形成され、回転中心が第１ギア軸８ｃに軸支されて回転自在になっている。そして、大歯車８ａが駆動ギア７に噛み合い、小歯車８ｂが第２減速ギア９に噛み合っている。
【００１９】
このような第１減速ギア８は、第１ギア軸８ｃの下端部である一端部がサブフレームに、上端部である他端部がモータプレート３の一部である第１支持壁３ｂに両持ち支持されている。
そのために、大歯車８ａ、または小歯車８ｂに大きな回転負荷が加わったとしても、第１ギア軸８ｃが傾いて、駆動ギア７または後述する第２減速ギア９との噛み合わせ深さにバラツキが発生しないようになっている。
なた、第１減速ギア８の小歯車８ｂには、第２減速ギア９が噛み合っており、この第２減速ギア９は、第１減速ギア８と同じように大歯車９ａと小歯車９ｂとが一体形成されている。
【００２０】
そして、第２減速ギア９の大歯車９ａが第１減速ギア８の小歯車８ｂに噛み合っており、回転中心が第２ギア軸９ｃに軸支されて第１、第２歯車９ａ、９ｂが回転自在になっている。
また、第２ギア軸９ｃは、下端部である一端部がサブフレーム６に支持されると共に、上端部である他端部がモータプレート３の一部である第２支持壁３ｃにガタ嵌合状態で支持されている。
また、第２ギア軸９ｃの他端部は、モータプレート３の第２支持壁３ｃにガタ嵌合で支持されて第２支持壁３ｃから上方に突出した状態で支持されている。
【００２１】
前記第２支持壁３ｃの外面（図示上面）には、第２支持壁３ｃから上方に突出する第２ギア軸９ｃの他端部をガタの無い状態で嵌合支持可能な支持部材１０が配設されている。
前記支持部材１０は、金属板からなり、ネジ１１によってモータプレート３の第２支持壁３ｃに取り付けられている。そして、支持部材９は、ネジ１０を弛めることで、取付位置が調整可能になっている。
また、モータプレート３の第２支持壁３ｃは、図３に示すように、第２ギア軸９ｃの他端部が嵌合する部分が所定深さで突き出し形成して突き出し部３ｄを形成したものでも良い。このような突き出し部３ｄによって、第２減速ギア９の上下方向のガタ付きを防止するようにしたものでも良い。
【００２２】
また、第２減速ギア９の図示右側のサブフレーム６には、軸受け６ａが固着され、この軸受け６ａに金属からなる円柱状のローラ１２が回転自在に支持されている。前記ローラ１２は、プリンタ（図示せず）側の例えば紙送りローラとなっており、ローラ１２の回転で、記録用紙（図示せず）を印刷手段（図示せず）側に搬送、またはバックフィード可能になっている。
また、サブフレーム６から外側に突出するローラ１２の端部側には、ローラギア１３が圧入または接着剤等で固着されている。
前記ローラギア１３は、第２減速ギア９の小歯車９ｂに噛み合う歯車部１３ａと、ボス部１３ｂとからなり、このボス部１３ｂが接着剤、または圧入等でローラ１２の端部に固着されている。
【００２３】
このようなローラ１２は、モータ２の高速回転が、２段ギアからなる第１、第２減速ギア８、９を介してローラギア１３が所定速度に減速されるので、ローラ１２が低速で回転して、例えば記録用紙を搬送可能になっている。
また、部品寸法のバラツキ、あるいは組立のバラツキ等で、第１減速ギア８およびローラギア１３ｂの第２減速ギア９に対する噛み合わせ深さにバラツキが発生して、互いに噛み合う歯車同士が、例えば干渉するような場合は、ネジ１１を弛めて支持部材１０の取付位置を調整することにより、適正な噛み合わせ深さにできるようになっている。
そのために、互いに噛み合う歯車同士が干渉することなく、ローラ１２をスムーズに回転させることができる。
【００２４】
このような本発明のギア支持構造１の動作を説明すると、まず、モータ２を高速回転させると、この高速回転が第１、第２減速ギア８、９を介してローラギア１３が所定速度に減速される。
そして、ローラ１２が低速で回転すると、ローラ１２に圧接している記録用紙（図示せず）が印刷手段（図示せず）側に搬送されて記録用紙に所望の画像等を印刷することができる。
【００２５】
このような本発明のプリンタのギア支持構造１は、第１、第２減速ギア８、９の一端部と他端部が、サブフレ−ム６とモータプレート３とに両持ち支持されているので、回転中の第１、第２減速ギア８、９が傾くのを防止できる。
そのために、第２減速ギア９の小歯車９ｂとローラギア１３との噛み合わせ深さが一定となり、ローラ１２を定速回転させることができる。
このような、ローラ１２が定速回転することにより、印刷中の記録用紙の搬送速度を一定にすることができ、記録用紙に高品質の画像を印刷することができる。
【図面の簡単な説明】
【００２６】
【図１】本発明の実施の形態を説明する要部断面図である。
【図２】図１の要部上面図である。
【図３】図１の要部拡大図である。
【図４】従来のプリンタのギア支持構造の分解斜視図である。
【符号の説明】
【００２７】
１  本発明のプリンタのギア支持構造
２  モータ
２ａ  回転軸
３  モータプレート
３ａ  外周端部
３ｂ  第１支持壁
３ｃ  第２支持壁
４  フレーム
４ａ  一方の側壁
５  ネジ
６  サブフレーム
７  駆動ギア
８  第１減速ギア
８ａ  大歯車
８ｂ  小歯車
８ｃ  第１ギア軸
９  第２減速ギア
９ａ  大歯車
９ｂ  小歯車
９ｃ  第２ギア軸
１０  支持部材
１２  ローラ
１３  ローラギア
１３ａ  歯車部
１３ｂ  ボス部
【図１】
2006021346.tif 000003
【図２】
2006021346.tif 000004
【図３】
2006021346.tif 000005
【図４】
2006021346.tif 000006